(57)【要約】      （修正有）【課題】雛に刺激を与えて、運動をさせ且つ食欲を増大させて、健康で丈夫な雛の育成を図る雛育成装置を提供する。【解決手段】雛育成装置１は、雛育成場Ｂに載置され、叩打音を発生させることにより雛Ａを刺激して雛Ａを運動させるものである。雛育成装置１は、収容体２と、収容体２内に取り付けられ、収容体２の一側３を連続して叩打する叩打装置１０とからなる。雛育成装置１を雛育成場Ｂに載置し、所定の期間、所定の時間間隔で、所定の時間、叩打装置１０を作動させて叩打音を発生させると、雛Ａは叩打音の刺激を受けて運動を行い、健全な成長を行う。【選択図】図１Ａ
2013179883.tif 000002
【特許請求の範囲】
【請求項１】
雛育成場に載置され、叩打音を発生させることにより雛を刺激して雛を運動させる雛育成装置であって、
底板と、底板の一側に設けられた被叩打板とからなる枠体と、
底板に取り付けられ、被叩打板を連続して叩打する叩打装置とからなることを特徴とする雛育成装置。
【請求項２】
雛育成場に載置され、叩打音を発生させることにより雛を刺激して雛を運動させる雛育成装置であって、
収容体と、
収容体内に取り付けられ、収容体の一側を連続して叩打する叩打装置とからなることを特徴とする雛育成装置。
【請求項３】
前記収容体は、紙製の素材で形成されていることを特徴とする請求項２記載の雛育成装置。
【請求項４】
前記叩打装置は、一対の叩打アームと、一対の叩打アームの先部を叩打面側に付勢する弾性部材と、一対の叩打アームに交互に係合して、一対の叩打アームの先部を前記弾性部材の弾性に抗して交互に叩打面から離れる方向に移動させると共に、係合を解除して一対の叩打アームの先部を交互に叩打面に叩打させる係合部材と、係合部材を駆動する駆動手段とからなることを特徴とする請求項１、２又は３記載の雛育成装置。
【請求項５】
前記駆動手段は、係合部材を作動させる駆動モータと、駆動モータの電源と、駆動モータの通電間隔、通電時間及び駆動時間を制御する制御手段を備えていることを特徴とする請求項３記載の雛育成装置。
【請求項６】
請求項１乃至５のいずれか１項に記載の雛育成装置を用いて雛を運動させる雛育成方法であって、
雛育成場に雛育成装置を載置し、所定の期間、所定の時間間隔で、所定の時間、叩打装置を作動させて叩打音を発生させ、雛を刺激して運動させることを特徴とする雛育成方法。
【請求項７】
雛を刺激して運動させ、健康な雛を育成する雛育成方法であって、
孵化した雛に所定の時間、所定の間隔で叩打音を聞かせて叩打音を慣れさせる調教工程と、
調教工程を経た雛に所定の期間、所定の時間間隔で、所定の時間、叩打音を聞かせて雛を刺激して運動させる運動工程とからなることを特徴とする雛育成方法。
【発明の詳細な説明】
【技術分野】
【０００１】
本発明は、雛育成場で飼育されている雛に適度な運動をさせ、健康で丈夫な雛の育成を図る雛育成装置及び雛育成方法に関する。
【背景技術】
【０００２】
従来、雛は、適度の温度と湿度が保たれた雛育成場で放し飼いにされ、水及び餌が与えられて育成される（例えば、特許文献１）。孵化したばかりの雛は、体温調節が十分にできないため、ブルーダーと呼ばれる保温装置により雛育成場の適度な温度が保たれている。また、雛は、脱水しやすいので、雛育成場の湿度を十分に管理し、湿度を上げると共に、十分に給水を行う。餌は、孵化した翌日から飼料を与える。飼料は、給餌皿に入れておけば良い。雛は、このようにして２〜３ヶ月間育成され、食肉用として出荷される。
【先行技術文献】
【特許文献】
【０００３】
【特許文献１】特開２００１−２９２６５１号公報
【発明の概要】
【発明が解決しようとする課題】
【０００４】
従来、雛の育成は、雛の生活環境を整えることに重点を置き、運動面からの育成にはあまり検討されては来なかった。従って、雛は不健康になりやすく、肉質がしまっておらず、廃棄率も高いという問題点があった。また、雛の育成は、入雛日から３日間の餌の摂取量が出荷時の体重に重大な影響を与えるため、如何に雛に餌を食べさせるかが重要な課題となる。孵化したばかりの雛は、育成場に放されても特に動くことがなく、その場でうろうろしたり座り込んだりして、餌を食べさせるのに手間がかかるという問題点があった。
【０００５】
本願発明は、上記問題点に鑑み案出したものであって、雛に刺激を与えて、運動をさせ且つ食欲を増大させて、健康で丈夫な雛の育成を図ることを目的とする。
【課題を解決するための手段】
【０００６】
本願請求項１に係る雛育成装置は、上記目的を達成するため、雛育成場に載置され、叩打音を発生させることにより雛を刺激して雛を運動させる雛育成装置であって、底板と、底板の一側に設けられた被叩打板とからなる枠体と、底板に取り付けられ、被叩打板を連続して叩打する叩打装置とからなることを特徴とする。
【０００７】
本願請求項２に係る雛育成装置は、上記目的を達成するため、雛育成場に載置され、叩打音を発生させることにより雛を刺激して雛を運動させる雛育成装置であって、収容体と、収容体内に取り付けられ、収容体の一側を連続して叩打する叩打装置とからなることを特徴とする。
【０００８】
本願請求項３に係る雛育成装置は、上記目的を達成するため、前記収容体は、紙製の素材で形成されていることを特徴とする。
【０００９】
本願請求項４に係る雛育成装置は、上記目的を達成するため、前記叩打装置は、一対の叩打アームと、一対の叩打アームの先部を叩打面側に付勢する弾性部材と、一対の叩打アームに交互に係合して、一対の叩打アームの先部を前記弾性部材の弾性に抗して交互に叩打面から離れる方向に移動させると共に、係合を解除して一対の叩打アームの先部を交互に叩打面に叩打させる係合部材と、係合部材を駆動する駆動手段とからなることを特徴とする。
【００１０】
本願請求項５に係る雛育成装置は、上記目的を達成するため、前記駆動手段は、係合部材を作動させる駆動モータと、駆動モータの電源と、駆動モータの通電間隔、通電時間及び駆動時間を制御する制御手段を備えていることを特徴とする。
【００１１】
本願請求項６に係る雛育成方法は、上記目的を達成するため、前記雛育成装置を用いて雛を運動させる雛育成方法であって、雛育成場に雛育成装置を載置し、所定の期間、所定の時間間隔で、所定の時間、叩打装置を作動させて叩打音を発生させ、雛を刺激して運動させることを特徴とする。
【００１２】
本願請求項７に係る雛育成方法は、上記目的を達成するため、雛を刺激して運動させ、健康な雛を育成する雛育成方法であって、孵化した雛に所定の時間、所定の間隔で叩打音を聞かせて叩打音を慣れさせる調教工程と、調教工程を経た雛に所定の期間、所定の時間間隔で、所定の時間、叩打音を聞かせて雛を刺激して運動させる運動工程とからなることを特徴とする。
【発明の効果】
【００１３】
本願発明に係る雛育成装置は、底板と、底板の一側に設けられた被叩打板とからなる枠体と、底板に取り付けられ、被叩打板を連続して叩打する叩打装置とからなる。本願発明に係る雛育成装置は、雛育成場に載置され、所定の期間、所定の時間間隔で、所定の時間、叩打装置を作動させて叩打音を発生させ、雛を刺激して雛を運動させる。雛は、所定の期間（例えば入雛日から２日又は３日間）、所定の時間間隔（例えば３時間間隔又は４時間間隔）で、所定の時間（５秒又は１０秒間）鳴らされる叩打音の刺激を受けて運動を行い、健全な成長を行うことができる。
【００１４】
本願発明に係る雛育成装置は、収容体と、収容体内に取り付けられ、収容体の一側を連続して叩打する叩打装置とからなる。本願発明に係る雛育成装置を雛育成場に載置し、所定の期間、所定の時間間隔で、所定の時間、叩打装置を作動させて叩打音を発生させる。雛は、叩打音により刺激を受けて運動を行う。雛は、所定の期間（例えば入雛日から２日又は３日間）、所定の時間間隔（例えば３時間間隔又は４時間間隔）で、所定の時間（５秒又は１０秒間）鳴らされる叩打音の刺激を受けて運動を行うので、食欲を増大させ、健康で丈夫に育てることができる。
【００１５】
本願発明に係る雛育成装置は、前記収容体が紙製の素材で形成されていることが望ましく、雛を刺激して運動させるのに最も有効な叩打音を発生させることができる。
【００１６】
本願発明に係る雛育成装置は、前記叩打装置が、一対の叩打アームと、一対の叩打アームの先部を叩打面側に付勢する弾性部材と、一対の叩打アームに交互に係合して、一対の叩打アームの先部を前記弾性部材の弾性に抗して交互に叩打面から離れる方向に移動させると共に、係合を解除して一対の叩打アームの先部を交互に叩打面に叩打させる係合部材と、係合部材を駆動する駆動手段とからなる。本願発明に係る雛育成装置は、一対の叩打アームが叩打面を連続的に叩打することにより発生する叩打音が雛を刺激しやすく、雛を活動させるのに有効である。
【００１７】
本願発明に係る雛育成装置は、前記駆動手段が、係合部材を作動させる駆動モータと、駆動モータの電源と、駆動モータの通電間隔、通電時間及び駆動時間を制御する制御手段を備えている。本願発明に係る雛育成装置は、制御手段によって駆動モータの通電間隔、通電時間及び駆動時間を制御することにより、雛の活動に最も有効な叩打音のタイミングを調節することができる。
【００１８】
本願発明に係る雛育成方法は、前記雛育成装置を用いて雛を運動させる雛育成方法であって、雛育成場に雛育成装置を載置し、所定の期間、所定の時間間隔で、所定の時間、叩打装置を作動させて叩打音を発生させ、雛を刺激して運動させる。雛を適度に運動させることにより、健康で丈夫な食肉用鶏に育成することができる。
【００１９】
本願発明に係る雛育成方法は、雛を刺激して運動させ、健康な雛を育成する雛育成方法であって、孵化した雛に所定の時間、所定の間隔で叩打音を聞かせて叩打音を慣れさせる調教工程と、調教工程を経た雛に所定の期間、所定の時間間隔で、所定の時間、叩打音を聞かせて雛を刺激して運動させる運動工程とからなる。本願発明に係る雛育成方法により、雛の食欲を増大させ、雛を健康で丈夫に育てることができる。
【図面の簡単な説明】
【００２０】
【図１Ａ】本願発明に係る雛育成装置の実施の形態を示す全体側面断面図である。
【図１Ｂ】本願発明に係る雛育成装置の他の実施の形態を示す全体側面断面図である。
【図２】図１Ａの雛育成装置の全体斜視図である。
【図３】図１Ａ，１Ｂの雛育成装置の叩打装置を説明する説明図であって、（ａ）が平面図、（ｂ）が側面図である。
【図４】図１Ａ，１Ｂの雛育成装置の叩打装置を説明する説明図であって、（ａ）が下蓋を外した底面図、（ｂ）が左側面断面図、（ｃ）が右側面断面図である。
【図５】一方の叩打アームを説明する説明図であって、（ａ）が正面図、（ｂ）が正面断面図、（ｃ）が左側面図、（ｄ）が右側面図である。
【図６】他方の叩打アームを説明する説明図であって、（ａ）が正面図、（ｂ）が正面断面図、（ｃ）が左側面図、（ｄ）が右側面図である。
【図７】雛育成場での無叩打状態時の雛の動きを説明する説明図である。
【図８】雛育成場での叩打状態時の雛の動きを説明する説明図である。
【図９】雛育成装置の作動プログラムを説明する説明図である。
【図１０】雛育成装置のプログラムのフローチャート図である。
【図１１】雛育成装置の試験時の作動プログラムを説明する説明図である。
【図１２】雛育成装置による全体の試験結果を示す図である。
【図１３】雛育成装置による第１回試験結果を示す図である。
【図１４】雛育成装置による第２回試験結果を示す図である。
【図１５】雛育成装置による第３回試験結果を示す図である。
【発明を実施するための形態】
【００２１】
雛育成装置の概要について説明する。雛育成装置１，１０１は、図７に示すように、雛育成場Ｂに載置され、叩打音を発生させることにより雛Ａを刺激して雛Ａを運動させるものである。図１Ｂに示すように、雛育成装置１０１は、底板１０２と、底板１０２の一側に設けられた被叩打板１０３とからなる枠体１０５と、底板１０２に取り付けられ、被叩打板１０３を連続して叩打する叩打装置１０とからなる。雛育成装置１０１は、雛育成場Ｂに載置され、所定の期間、所定の時間間隔で、所定の時間、叩打装置１０を作動させて叩打音を発生させる。雛Ａは、図８に示すように、雛育成装置１０１の叩打音に刺激され、雛育成装置１０１に呼び寄せられるように運動を行う。雛育成装置１０１は、叩打装置１０が露出するため、収容箱等の収容体１０６に収容されることが露出を防ぐと共に共鳴させる点からも望ましいが、収容体１０６に収容せずにそのまま雛Ａの届かない位置に配置しても良い。また、枠体１０５は、合成樹脂、段ボール等の厚紙等によって形成されることが望ましく、雛Ａを刺激するのに有効な叩打音を発生する。雛Ａは、所定の期間（例えば入雛日から２日又は３日間）、所定の時間間隔（例えば３時間間隔又は４時間間隔）で、所定の時間（５秒又は１０秒間）鳴らされる叩打音の刺激を受けて運動を行い、健全な成長を行うことができる。
【００２２】
雛育成装置１は、図１Ａ，２に示すように、収容体２と、収容体２内に取り付けられ、収容体２の一側３を連続して叩打する叩打装置１０とからなる。収容体２は、収容箱であっても構わないが、矩形箱形状に限定されるものではなく、筒形箱形状等の種々の形状に変更することができる。叩打装置１０は、収容箱等の収容体２内に位置決めされて収容され、収容箱等の収容体２の側板３（又は４）を連続して叩打するようにしても良い。雛育成装置１を雛育成場Ｂに載置し、所定の期間、所定の時間間隔で、所定の時間、叩打装置１０を作動させて叩打音を発生させる。雛Ａは、図８に示すように、叩打音により刺激を受けて、雛育成装置１に呼び寄せられるように運動を行う。雛Ａは、所定の期間（例えば入雛日から２日又は３日間）、所定の時間間隔（例えば３時間間隔又は４時間間隔）で、所定の時間（５秒又は１０秒間）鳴らされる叩打音の刺激を受けて運動を行うので、食欲を増大させ、健康で丈夫に育てることができる。
【００２３】
雛育成装置１は、前記収容体２が紙製の素材で形成されていることが望ましく、雛を刺激して呼び寄せて運動させるのに最も有効な叩打音を発生させることができる。雛育成装置１は、図１Ａに示すように、叩打装置１０が、一対の叩打アーム５０，６０と、一対の叩打アーム５０，６０の先部を収容箱（収容体）２の側板３の叩打面３ａ側に付勢する弾性部材５８，６８と、一対の叩打アーム５０，６０に交互に係合して、一対の叩打アーム５０，６０の先部を前記弾性部材５８，６８の弾性に抗して交互に側板３の叩打面３ａから離れる方向に移動させると共に、係合を解除して一対の叩打アーム５０，６０の先部を交互に収容箱（収容体）２の側板３の叩打面３ａに叩打させる係合部材４１と、係合部材４１を駆動する駆動手段２０とからなる。雛育成装置１は、一対の叩打アーム５０，６０が収容箱（収容体）２の側板３の叩打面３ａを連続的に叩打することにより発生する叩打音が雛Ａを刺激しやすく、雛Ａを活動させるのに有効である。
【００２４】
雛育成装置１は、駆動手段２０が、図４に示すように、係合部材４１を作動させる駆動モータ２２と、駆動モータ２２の電源８０と、駆動モータ２２の通電間隔、通電時間及び駆動時間を制御する制御手段９０を備えている。雛育成装置１は、制御手段９０によって駆動モータ２２の通電間隔、通電時間及び駆動時間を制御することにより、雛Ａの活動に最も有効な叩打音のタイミングを調節することができる。
【００２５】
このように、雛育成方法は、前記雛育成装置１，１０１を用いて雛を運動させる方法であって、雛育成場Ｂに雛育成装置１，１０１を載置し、所定の期間（例えば、２日又は３日間）、所定の時間間隔（例えば３時間間隔又は４時間間隔）で、所定の時間（５秒又は１０秒間）、叩打装置１０を作動させて叩打音を発生させ、雛Ａを刺激して、雛Ａを適度に運動させることにより、健康で丈夫な食肉用鶏に育成することができる。
【００２６】
また、雛育成方法は、雛Ａを刺激して運動させ、健康な雛を育成する方法であって、孵化した雛Ａに所定の時間（例えば、約３０分）、所定の間隔（例えば、約５分）で叩打音を所定の時間（５秒又は１０秒間）聞かせて叩打音を慣れさせる調教工程と、調教工程を経た雛に所定の期間（例えば、２日又は３日間）、所定の時間間隔（例えば３時間間隔又は４時間間隔）で、所定の時間（５秒又は１０秒間）、叩打音を聞かせて雛Ａを刺激して運動させる運動工程とからなる。この雛育成方法により、雛Ａの食欲を増大させ、雛を健康で丈夫に育てることができる。
【００２７】
さらに、雛育成装置１について詳細に説明する。雛育成装置１は、図１Ａ，２に示すように、収容箱（収容体）２と、収容箱（収容体）２内に位置決めされて収容され、収容箱（収容体）２の側板（例えば前板３又は後板４）を連続して叩打する叩打装置１０とからなる。収容箱（収容体）２は、厚さ約３ｍｍ程度の段ボールで矩形箱状に形成されている。収容箱（収容体）２は、前板３と、後板４と、右板５と、左板６と、後板４の下端に連設された下蓋７と、後板４の上端に連設された上蓋８とを有し、１枚の段ボールの折曲によって形成されている。
【００２８】
叩打装置１０は、矩形箱状のケース１１と、ケース１１に揺動可能に設けられた一対の叩打アーム５０，６０とからなる。ケース１１は、図４に示すように、一体成形によって形成されたケース本体１８と、下壁１７とからなる。ケース本体１８は、上壁１２と、前壁１３と、後壁１４と、右壁１５と、左壁１６とからなる。下壁１７は、ケース本体１８の下部開口を塞ぐと共にネジによってケース本体１８に固定される。ケース１１は、図１Ａに示すように、収容箱（収容体）２に収容されると、下壁１７が下蓋７に当接し、前壁１３が下蓋７の折曲片７ａを介して前板３に係止され、後壁１４が後板４に当接し、右壁１５が右板５に当接し、左壁１６が左板６に当接して、位置決めされる。
【００２９】
ケース１１内には、図４に示すように、一対の叩打アーム５０，６０を強制的に揺動させる駆動部（駆動手段）２０と、駆動部２０の右方に配置された電源部８０と、駆動部２０の左方に配置された制御部（制御手段）９０とを備えている。駆動部２０は、ケース本体１８に形成された駆動枠２１内に配置され、駆動モータ２２と、減速歯車群２３と、係合板４１とからなる。
【００３０】
減速歯車群２３は、駆動モータ２２の駆動軸２２ａに固定された駆動小歯車２５と、駆動小歯車２５と噛み合う第１の平歯車２６と、第１の平歯車２６と一体の第１の小歯車２７と、第１の小歯車２７と噛み合う第２の平歯車２９と、第２の平歯車２９と一体の第２の小歯車３０と、第２の小歯車３０と噛み合う第３の平歯車３１と、第３の平歯車３１と一体の第３の小歯車３２と、第３の小歯車３２と噛み合う第４の平歯車３３とからなる。第１の平歯車２６及び第１の小歯車２７と第３の平歯車３１及び第３の小歯車３２は、駆動枠２１に設けられた中間軸３５に回動可能に取り付けられている。第２の平歯車２９及び第２の小歯車３０は、駆動軸３６に回動可能に取り付けられ、第４の平歯車３３は、駆動軸３６に回動不能に取り付けられている。
【００３１】
前記係合板４１は、駆動軸３６に固定して取り付けられている。係合板４１は、円板状に形成され、両面にそれぞれ一対の係合突起４２，４３が設けられている。係合板４１の右方の側面に設けられている係合突起４２，４２は、係合板４１の駆動軸３６を中心として両側に配置されている。係合板４１の左方の側面に設けられている係合突起４３，４３も、係合板４１の駆動軸３６を中心として両側に配置されている。係合突起４２，４２は、係合突起４３，４３に対して、略９０度ずらして係合板４１に取り付けられている。
【００３２】
一対の叩打アーム５０，６０は、前記係合板４１の係合突起４２，４３に係合して揺動するようになっている。叩打アーム５０，６０は、合成樹脂によって一体成形されている。右方の叩打アーム５０は、図５に示すように、アーム体５１と、アーム体５１の先端に設けられた円筒状の叩打部材５２と、アーム体５１の後端に設けられた略半円筒状のボス５３とからなる。ボス５３の中心には、軸受け筒５４が設けられている。軸受け筒５４は、ボス５３の側壁５３ａと底壁５３ｂに連結され固定されている。ボス５３の一方端（左端）には、凸段部５５が形成されている。また、ボス５３の底壁５３ｂには、前記係合板４１の係合突起４２，４２と係合する係合片５６が設けられている。さらに、軸受け筒５４の下部一側には、略Ｌ字状のバネ受け片５７が形成されている。
【００３３】
左方の叩打アーム６０は、図６に示すように、アーム体６１と、アーム体６１の先端に設けられた円筒状の叩打部材６２と、アーム体６１の後端に設けられた略半円筒状のボス６３とからなる。ボス６３の中心には、円筒状の支軸６４が設けられている。支軸６４は、ボス６３の側壁６３ａと底壁６３ｂに連結され固定されている。ボス６３の他方端（右端）には、叩打アーム５０の凸段部５５と嵌合する凹段部６５が形成されている。また、ボス６３の底壁６３ｂには、前記係合板４１の係合突起４３，４３と係合する係合片６６が設けられている。さらに、支軸６４の下部一側には、略Ｌ字状のバネ受け片６７が形成されている。
【００３４】
叩打アーム５０と叩打アーム６０は、叩打アーム６０の支軸６４を叩打アーム５０の軸受け筒５４に挿通し、叩打アーム６０の凹段部６５に叩打アーム５０の凸段部５５を嵌合することにより連結される。叩打アーム５０及び叩打アーム６０は、支軸６４の両端が駆動枠２１に回動可能に軸受けされて取り付けられている。前述したように、叩打アーム５０の係合片５６は、係合板４１の係合突起４２，４２と係合する。叩打アーム６０の係合片６６は、係合板４１の係合突起４３，４３と係合する。
【００３５】
叩打アーム５０のバネ受け片５７には、バネ部材５８の一端が係止されている。バネ部材５８の他端は、ケース１１の上壁１２に形成された係止軸５９に係止されている。叩打アーム５０は、このバネ部材５８によって、先端、即ち叩打部材５２が前方（Ｘ方向）に付勢されている。叩打アーム６０のバネ受け片６７には、バネ部材６８の一端が係止されている。バネ部材６８の他端は、ケース１１の上壁１２に形成された係止軸６９に係止されている。叩打アーム６０は、このバネ部材６８によって、先端、即ち叩打部材６２が前方（Ｘ方向）に付勢されている。
【００３６】
叩打アーム５０，６０は、図３に示すように、上壁１２に形成された開口７２から上方に突出している。即ち、上壁１２の略中央には、凹部７０が形成されている。凹部７０の底壁７１には、前記叩打アーム５０，６０を挿通する開口７２が形成されている。凹部７０の後壁７３は、開口７２に向かって下降傾斜している。前記叩打アーム５０，６０は、ボス５３，６３が開口７２から突出し、バネ部材５８，６８の弾性によって付勢され、開口７２の前端縁７５に当接する。
【００３７】
電源部８０には、図４に示すように、乾電池、蓄電池等の電源が収容され、駆動モータ２２に電気的に接続されている。制御部９０には、駆動モータ２２の駆動を制御する回路基板９１が設けられている。回路基板９１には、駆動モータ２２の通電間隔を制御する間隔制御手段と、通電時間を制御する通電制御手段と、駆動時間全体を制御する駆動時間制御手段とを有する。
【００３８】
さらに、図３に示すように、上壁１２には、スイッチ群８１が設けられている。スイッチ群８１は、電源部８０に接続され電源をオン・オフする電源スイッチ８２と、間隔制御手段に接続され通電間隔を切り替える間隔スイッチ８３と、通電制御手段に接続され通電時間を切り替える音長スイッチ８４と、駆動時間制御手段に接続され駆動時間を切り替える動作スイッチ８５を有する。また、上壁１２には、回路基板９１に接続される餌付けスイッチ８６を有し、餌付け有りの場合には、設定時間、所定間隔で、所定時間駆動モータを通電して叩打する。さらに、上壁１２には、回路基板９１に接続され、他の叩打装置１０の叩打タイミングを同期させる同期スイッチ８７が設けられている。同期スイッチ８７の近傍には、動作確認用のＬＥＤ８８が設けられている。
【００３９】
電源スイッチ８２をオンにすると、制御部９０が初期化され、３秒間だけ駆動モータ２２が回転し、ＬＥＤ８８が赤と緑を点灯する。間隔スイッチ８３は、駆動モータ２２の通電間隔を４時間、３時間、２時間と三段階に切り替えることができる。音長スイッチ８４は、駆動モータ２２の通電時間を１０秒、５秒と切り替えることができる。動作スイッチ８５は、駆動モータ２２の駆動時間を７２時間、４８時間と切り替えることができる。餌付けスイッチ８６は、餌付け有りと無しに切り替えることができ、餌付け有りの場合には、雛の調教時間（餌付け時間）が設定され、３０分の間で、５分間隔で、１０秒間駆動モータ２２に通電して叩打音を発生させ、雛Ａに叩打音を慣れさせることができる。この間に餌を撒いて刷り込みを行っても良い。この餌付け作動（調教）時間の設定は、３０分としたが、とくに限定する時間ではなく、実験からこの程度であれば十分との結果を得られたからである。
【００４０】
同期スイッチ８７は、他の叩打装置１０の叩打タイミングを同期させるために設けられている。雛育成装置１は、１０００羽に１台の割合で雛育成場に置くことが望ましく、通常に８０００羽以上を育成するので、同時に叩打音を発生させる必要がある。ばらばらに叩打音が発生すると、雛がパニック状態に陥り、圧死、憤死等の弊害を生じる可能性があるからである。同期スイッチ８７の近傍には、動作確認用のＬＥＤ８８が設けられている。動作確認用ＬＥＤ８８は、電源スイッチをオンにするとオレンジ色が点灯する。未同期状態の時は赤色で５秒毎の点滅を行い、同期状態の時は緑色で５秒毎に点滅を行う。設定動作終了後には、緑色で１秒毎に点滅を行う。電源が消耗した場合には、赤色で１秒毎に点滅を行う。
【００４１】
次に雛育成装置１の動きについて説明する。叩打装置１０は、図４に示すように、駆動モータ２２を駆動すると、駆動軸２２ａの回転が、駆動小歯車２５、第１の平歯車２６、第１の小歯車２７、第２の平歯車２９、第２の小歯車３０、第３の平歯車３１、第３の小歯車３２、第４の平歯車３３を介して駆動軸３６に伝達され、係合板４１が前方（Ｘ方向）に回転する。係合板４１の係合突起４２が叩打アーム５０の係合片５６に係合して、叩打アーム５０の叩打部材５２がバネ部材５８の弾性に抗して後方（Ｙ方向）に揺動する。係合板４１がさらに回転して係合突起４２が叩打アーム５０の係合片５６から外れると、叩打アーム５０の叩打部材５２がバネ部材５８の弾性により前方（Ｘ方向）に瞬時に揺動する。
【００４２】
同様に、係合板４１が前方（Ｘ方向）に回転すると、係合板４１の係合突起４３が叩打アーム６０の係合片６６に係合して、叩打アーム６０の叩打部材６２がバネ部材６８の弾性に抗して後方（Ｙ方向）に揺動する。係合板４１がさらに回転して係合突起４３が叩打アーム６０の係合片６６から外れると、叩打アーム６０の叩打部材６２がバネ部材６８の弾性により前方（Ｘ方向）に瞬時に揺動する。係合突起４２は係合板４１の一方の側面に対向して一対設けられ、係合突起４３は係合板４１の他方の側面に対向して一対設けられている。係合突起４２と係合突起４３は、略９０度ずらして設けられているので、係合板４１が１回転する間に叩打アーム５０と叩打アーム６０が交互に２回揺動する。
【００４３】
図２に示すように、叩打装置１０を収容箱（収容体）２に収容する。叩打装置１０は、図１Ａに示すように、下壁１７が下蓋７に当接し、前壁１３が下蓋７の折曲片７ａを介して前板３に係止され、後壁１４が後板４に当接し、右壁１５が右板５に当接し、左壁１６が左板６に当接して、ケース１１が収容箱（収容体）２に位置決めされる。前述したように、駆動モータ２２を駆動すると、叩打アーム５０と叩打アーム６０が交互に揺動し、叩打部材５２，６２が収容箱（収容体）２の前板３の内面３ａを交互に連打して、叩打音を連続発生させる。段ボールで形成された収容箱２の側面を連続的に叩打して発生する叩打音は、雛を刺激して呼び寄せて運動させるのに有効な音である。この叩打アーム５０，６０が叩打する連続叩打時間は音長スイッチ８４によって切り替えることができ、連続叩打音と連続叩打音の間隔は間隔スイッチ８３によって切り替えることができ、叩打する時間範囲は動作スイッチ８５によって切り替えることができ、このように回路基板９１の制御手段９０が駆動モータ２２の通電間隔、通電時間及び駆動時間を制御して変化させることができる。収容箱２は、叩打装置１０の共鳴箱として又、包装箱として機能する。
【００４４】
次に雛育成装置１の動作についてフローチャート図１０に沿って説明する。なお、駆動モータ２２が通電されると、駆動して叩打音が発生する。電源スイッチ８２をオンにする。制御部９０が初期化され、３秒間だけ駆動モータ２２が回転し、ＬＥＤが赤と緑を点灯する。打音間隔スイッチ８３を４時間、３時間、２時間の内の３時間にセットする。音長スイッチ８４を１０秒、５秒の内の５秒（打音時間）にセットする。動作スイッチ８６を７２時間、４８時間の内の７２時間にセットする。未同期状態なので、ＬＥＤ８８が赤色で５秒毎の点滅を行う。ＬＥＤ８８が赤色で１秒毎に点滅を行う場合には、電源が消耗しているので、電源の交換又は充電を行う。
【００４５】
餌付けスイッチ８６を餌付け有りにセットし、同期スイッチ８７をオンにする。同期スイッチ８７をオンにしない場合には、他の雛育成装置１と同期することがない。図９に示すように、餌付けスイッチ８６によって雛の調教時間（餌付け時間）が設定されているので、通常動作前の３０分間、５分間隔で１０秒間駆動モータ２２に通電して叩打音を発生させる。通常動作前の調教時間３０分（５分毎に１０秒の叩打音）は、雛Ａに叩打音を慣れさせるのに重要な役割を果たし、この調教時間の有無により通常動作での雛Ａの活動に影響を与えることになる。また、この調教時間内に餌付けを行い、餌の刷り込みを行っても良い。餌付けスイッチ８６が餌付け無しにセットされている場合には、雛の調教時間（餌付け時間）なく、通常動作に移行する。雛育成装置１は、図７に示すように、雛育成場Ｂに置き、上記したように、プログラムに沿って作動させると、図８に示すように、雛Ａが叩打音に呼び寄せられて運動を行う。
【００４６】
図９に示すように、通常動作は、動作スイッチが７２時間にセットされているので、３日間行われる。この３日間の間、３時間おきに５秒間駆動モータ２２が通電され、その間叩打音が発生する。このように、３日間の間に、３時間おきに５秒間の叩打音を発生させ、雛に刺激を与えて活性化させ、良質で健全な肉質の食肉用鶏に成長させることができる。状況応じて、２日間に切り替えることも、４時間おきに１０秒間の叩打音を発生させることもできる。雛の育成には、雛育成装置１を入雛日から２日間又は３日間使用すれば十分効果的であり、孵化した雛に刺激を与えて運動をさせ、餌及び水をより多く摂取させることができる。この２日乃至３日間の摂取量が出荷時の体重に影響を与えるからである。
【００４７】
前記雛育成装置１は、一対の叩打アーム５０，６０を有し、駆動モータ２２を駆動させて、一対の叩打アーム５０，６０を揺動させ、収容箱（収容体）２の側板３を連続して叩打して叩打音を発生させた。しかし、雛育成装置は、叩打音を記録した記録手段と、叩打音を発生させるスピーカー等の発音体と、叩打音の駆動を制御する制御部とで構成しても構わない。このように構成した雛育成装置は、制御部により、叩打音の駆動期間、叩打音の駆動間隔、叩打音の駆動時間を制御して、雛の健全な育成を図ることができる。
【実施例】
【００４８】
雛育成装置１を備えた雛育成場（試験区）と、雛育成装置１を備えていない雛育成場（対照区）とを同一環境下で比較試験を行った。図１１に示すように、雛育成装置１のプログラムは、動作スイッチ８５により駆動時間を４８時間に設定し、音長スイッチ８４により通電時間を５秒に設定し、餌付けスイッチ８６を有りに設定し、間隔スイッチ８３により最初の２４時間を３時間おきに設定し、最後の２４時間は４時間おきに設定した。
【００４９】
図１２に示すように、第１回目の試験は、夏から秋にかけて約５０日間の育成を測定した。対照区及び試験区での入雛時の羽数は、８４４８羽である。平均体重は、対照区が４１．２ｇであり、試験区が３７．８ｇであった。なお、雛育成装置１は、約１０００羽に対して１台が設置した。電源スイッチ８２をオンにし、さらに同期スイッチ８７をオンにすると、餌付け作動プログラムにより、５分おきに５秒間の叩打音が３０分間発生する（図１１参照）。この最初の３０分間は、雛の音に対する慣れを調教するための時間であり、この３０分を設けないと叩打音に対する雛の反応が極めて鈍くなる。この餌付け作動（調教）時間の設定は、３０分としたが、とくに限定する時間ではなく、実験からこの程度であれば十分との結果を得られたからである。また、叩打間隔は、５分間隔でも１０分間隔でも構わないが、５分間隔の方が雛の反応及び動きが良かったので、５分間隔を採用した。日中は、叩打音にあわせて餌を撒き、雛への刷り込みを強化した。
【００５０】
この２日間の雛育成期間により、１週間後の雛の平均体重は、対照区が１９９．５ｇであるのに対し、試験区が２０２．５ｇとなった。この１週間の間にへい死・淘汰された雛の数は、対照区が４４羽であるのに対し、試験区が３８羽と低かった。この１週間の測定結果から、試験区の雛の健全な育成が行われているのが理解できる。この健全な成長は、出荷時まで継続され、図１３に示すように、増体率で試験区の方が対照区をほとんどの週で上回っており、出荷時においては、対照区の増体率が７０．１５であるのに対し、試験区が７５．６６と上回った。また、商品化率においても、対照区が９３．７７％であるのに対し、試験区が９６．１０％と上回った。このように、試験区の方が対照区よりも育成率（商品化率）が高く、廃棄率が低いので、雛の健全な育成に有効であることが理解できる。なお、増体率とは、測定時の体重を入雛時の体重で割った比率である。また、商品化率は、（出荷数−廃棄数）÷入雛数で計算され、出荷時の羽数を廃棄した羽数で引いた後の羽数を入雛時の羽数で割った比率である。
【００５１】
図１２に示すように、第２回目の試験は、秋から冬にかけて約５０日間の育成を測定した。対照区での入雛時の羽数は、８４６６羽であるのに対し、試験区での入雛時の羽数は、８６００羽である。平均体重は、対照区が５２．５ｇであり、試験区が４９．３ｇであった。２日間の雛育成期間により、１週間後の雛の平均体重は、対照区が２００ｇであるのに対し、試験区が２０４．５ｇとなった。この１週間の間にへい死・淘汰された雛の数は、対照区が８４羽であるのに対し、試験区が３５羽と低かった。この１週間の測定結果から、試験区の雛の健全な育成が行われているのが理解できる。この健全な成長は、出荷時まで継続され、図１４に示すように、増体率で試験区の方が対照区をほとんどの週で上回っており、出荷時においては、対照区の増体率が５８．７４であるのに対し、試験区が６０．５２と上回った。また、商品化率においても、対照区が８９．２４％であるのに対し、試験区が９０．８８％と上回った。このように、試験区の方が対照区よりも廃棄率が低いので、雛の健全な育成に有効であることが理解できる。
【００５２】
図１２に示すように、第３回目の試験は、秋から冬にかけて約４３日間の育成を測定した。対照区での入雛時の羽数は、９６６０羽であるのに対し、試験区での入雛時の羽数は、１０５００羽である。平均体重は、対照区が４２．４ｇであり、試験区が４０．０ｇであった。２日間の雛育成期間により、１週間後の雛の平均体重は、対照区が１８６．７ｇであるのに対し、試験区が１９２．５ｇとなった。この１週間の間にへい死・淘汰された雛の数は、対照区が３４羽であるのに対し、試験区が２９羽と低かった。この１週間の測定結果から、試験区の雛の健全な育成が行われているのが理解できる。この健全な成長は、出荷時まで継続され、図１５に示すように、増体率で試験区の方が対照区をほとんどの週で上回っており、出荷時においては、対照区の増体率が６８．７５であるのに対し、試験区が７１．９７と上回った。また、商品化率においても、対照区が９６．０３％であるのに対し、試験区が９６．５９％と上回った。なお、試験区の廃棄率が対照区の廃棄率より高いのは、出荷直前に寒冷感作の影響により腹水症が発生したためであり、このように廃棄率が高くてもなお、商品率が高いのは、雛の健全な育成に有効であることが理解できる。
【産業上の利用可能性】
【００５３】
本願発明は、雛を健康で丈夫に育成する雛育成装置に利用可能である。
【符号の説明】
【００５４】
Ａ  雛
Ｂ  雛育成場
１  雛育成装置
２  収容箱（収容体）
３  前板（一側、側板）
３ａ  叩打面（内面）
４  後板（一側、側板）
５  右板
６  左板
７  下蓋
７ａ  折曲片
８  上蓋
１０  叩打装置
１１  ケース
１２  上壁
１３  前壁
１４  後壁
１５  右壁
１６  左壁
１７  下壁
１８  ケース本体
２０  駆動部（駆動手段）
２１  駆動枠
２２  駆動モータ
２２ａ  駆動軸
２３  減速歯車群
２５  駆動小歯車
２６  第１の平歯車
２７  第１の小歯車
２９  第２の平歯車
３０  第２の小歯車
３１  第３の平歯車
３２  第３の小歯車
３３  第４の平歯車
３５  中間軸
３６  駆動軸
４１  係合板（係合部材）
４２  係合突起
４３  係合突起
５０  叩打アーム
５１  アーム体
５２  叩打部材
５３  ボス
５３ａ  側壁
５３ｂ  底壁
５４  軸受け筒
５５  凸段部
５６  係合片
５７  バネ受け片
５８  バネ部材
５９  係止軸
６０  叩打アーム
６１  アーム体
６２  叩打部材
６３  ボス
６３ａ  側壁
６３ｂ  底壁
６４  支軸
６５  凹段部
６６  係合片
６７  バネ受け片
６８  バネ部材
６９  係止軸
７０  凹部
７１  底壁
７２  開口
７３  後壁
７５  前端縁
８０  電源部
８１  スイッチ群
８２  電源スイッチ
８３  間隔スイッチ
８４  音長スイッチ
８５  動作スイッチ
８６  餌付けスイッチ
８７  同期スイッチ
９０  制御部（制御手段）
９１  回路基板
１０１  雛育成装置
１０２  底板
１０３  被叩打板
１０５  枠体
１０６  収容体
【図１Ａ】
2013179883.tif 000003
【図１Ｂ】
2013179883.tif 000004
【図２】
2013179883.tif 000005
【図３】
2013179883.tif 000006
【図４】
2013179883.tif 000007
【図５】
2013179883.tif 000008
【図６】
2013179883.tif 000009
【図７】
2013179883.tif 000010
【図８】
2013179883.tif 000011
【図９】
2013179883.tif 000012
【図１０】
2013179883.tif 000013
【図１１】
2013179883.tif 000014
【図１２】
2013179883.tif 000015
【図１３】
2013179883.tif 000016
【図１４】
2013179883.tif 000017
【図１５】
2013179883.tif 000018